(57)【要約】上チャンバー、下チャンバー、上チャンバー排便口、および下チャンバー排便口を含む可変水封式便器において、ベアリング軸またはベアリング軸孔に取り付ける、低端部が上チャンバー排便口を取り囲み、自動的に降下と復原ができ、高端部が下チャンバー排便口に通じる偏位可能排便通路を有し、排便通路が偏位復原装置を有することを特徴とする可変水封式便器。本発明は従来の便器が上チャンバー排便口と下チャンバーとの間に固定的な排便通路を有し、その故に、高水封ではあるが、水の抵抗が大きく、且つ、水の浪費が極めて大きいという欠点を解消し、排便通路を、洗い流す時に自動的に低水封に偏位し、洗い流さない時に自動的に高水封に復原する可変的偏位可能排便通路とし、臭気を封じるとともに大幅に洗浄効果を向上し、洗浄水を節約し、構造が簡単で信頼性が高く、性能対費用の比率が高いという利点を有する。
2006519326.tif 000002
【特許請求の範囲】
【請求項１】
上チャンバー、下チャンバー、上チャンバー排便口、および下チャンバー排便口を含む可変水封式便器において、ベアリング軸またはベアリング軸孔に取り付ける、低端部が上チャンバー排便口を取り囲み、高端部が下チャンバー排便口に連通する偏位可能排便通路を有し、該排便通路を偏位、復原する装置を有することを特徴とする可変水封式便器。
【請求項２】
請求項１に記載の可変水封式便器であって、
前記の偏位可能排便通路は管状であり、碗状の上チャンバー排便口の外側の凹部に、可撓管状の排便通路が装着され、ボルトで緊締したバー・クラスプ式ブラケットのベアリング軸孔に、軸が装着され、該軸を中心に偏位できる偏位可能フレームが支持されており、偏位可能フレームの一端には復原装置が設けられ、他端は斜め上方へ延び、それとともに延びる可撓性パイプ排便通路または可撓性パイプ排便通路と接続する管状の排便通路と接続し、下チャンバー排便口に連通する水平、垂直或は傾斜排便通路の流出口を構成し、偏位可能フレームとともに偏位、復原し、該偏位可能フレームの一端附近には一つの細い板及び下方に湾曲した突起、又は、下方へ湾曲する細い板及び突起がそれぞれ偏位と復原を制限する規制板と規制突起を構成することを特徴とする可変水封式便器。
【請求項３】
請求項１に記載の可変水封式便器であって、
前記偏位可能排便通路は溝形であり、即ち可変水封は溝形の可変水封であり、上チャンバー排便口の外側でボルトで緊締したバー・クラスプ式ブラケットのベアリング孔に軸が支持され、且つ該軸の軸線を中心に偏位可能な溝形の排便通路を含み、上チャンバー排便口が溝形の排便通路の低端に位置し、溝形の排便通路が斜め右上方へ延びて水平の偏位可能排便口に達し、溝形の排便通路の左方の外側には復原用バランスウエイトが設けられ、
ブラケットの上部に水平板が設けられ、該水平板は規制板であり、湾曲突起は規制突起であり、
ブラケットの下部はねじで固定されることを特徴とする可変水封式便器。
【請求項４】
請求項１または２に記載の可変水封式便器であって、
前記偏位可能排便通路はU形管排便通路、または┐形管排便通路であることを特徴とする可変水封式便器。
【請求項５】
請求項１、２または３に記載の可変水封式便器であって、
ベアリング軸またはベアリング孔は下チャンバー内における上チャンバー排便口の外側または下チャンバー排便口の外側に取り付けられていることを特徴とする可変水封式便器。
【請求項６】
請求項１、２または３に記載の可変水封式便器であって、復原装置はバランスウエイト付き復原装置、圧縮ばね付き復原装置、引っ張りばね付きり復原装置、及び圧縮ばねと引っ張りばねとの組み合わせから成る復原装置から選ばれることを特徴とする可変水封式便器。
【請求項７】
請求項４に記載の可変水封式便器であって、
復原装置はバランスウエイト付き復原装置、圧縮ばね付き復原装置、引っ張りばね付き復原装置、及び圧縮ばねと引っ張りばねとの組み合わせからなる復原装置から選ばれることを特徴とする可変水封式便器。
【請求項８】
請求項５に記載の可変水封式便器であって、
復原装置はバランスウエイト付き復原装置、圧縮ばね付き復原装置、引っ張りばね付き復原装置、及び圧縮ばねと引っ張りばねとの組み合わせからなる復原装置から選ばれることを特徴とする可変水封式便器。
【発明の詳細な説明】
【技術分野】
【０００１】
本発明は水洗便器に関し、特に可変水封式の水洗便器に関する。
【背景技術】
【０００２】
従来の水洗便器の水封装置は固定的な溜り水が深い湾曲状の排便通路を有し、上チャンバー、下チャンバー、上チャンバー排便口、および下チャンバー排便口を含み、下チャンバーの湾曲管に水封があり、臭気を封じるとともに、水の高い抵抗性も形成し、洗浄効果を大幅に低下し、洗浄用水を浪費する。同時に、排便通路の湾曲が大きく水の抵抗性が大きくなり、排泄物が溜まりやすく、場合によっては配管を閉塞し、便器の作用を阻害する。
【発明の開示】
【課題を解決するための手段】
【０００３】
本発明は上記従来技術の欠陥を解決し、普段は水封位置が高く、好ましい水封効果があるが、洗浄水が流出するときは水封の高さが低くなり、水の抵抗を低くし、洗浄水を減少できるという効果を有する、可変水封位置の、偏位が可能の排便通路を有する可変水封式便器を提供することを目的とする。
【０００４】
本発明の目的は以下の構成により実現することができる。
【０００５】
上チャンバー、下チャンバー、上チャンバー排便口、および下チャンバー排便口を含む可変水封式便器において、ベアリング軸またはベアリング軸孔に取り付ける、低端部が上チャンバー排便口を取り囲み、高端部が下チャンバー排便口に連通する偏位可能排便通路を有し、排便通路を偏位、復原する装置を有することを特徴とする可変水封式便器。
【０００６】
上記のような偏位可能排便通路はベアリング軸を中心に回転することができ、回転する位置の上限は偏位可能排便通路の最高位置であり、回転する位置の下限は偏位可能排便通路の最低位置である。通常は、偏位可能排便通路は復原装置によって高位に保持し、水封位置を高く保持するが、洗浄水が流出するときは、水流によって偏位可能排便通路が復原装置の作用する力に抵抗する力を得て、ベアリング軸またはベアリング軸孔を中心に回転して低位になり、水封高さを降下させ、水に対する抵抗力を低くし、それによって洗浄水を減少することができるという効果を実現する。洗い流した後、偏位可能排便通路は復原装置の復原力により復原し、高い水封位置を保持するようになる。
【０００７】
前記偏位可能排便通路はU形管排便通路、┐形管排便通路またはその他の形状の偏位可能排便通路でもよい。
【０００８】
前記の復原装置はバランスウエイト付き復原装置、圧縮ばね付き復原装置、引っ張りばね付き復原装置、圧縮ばねと引っ張りばねとの組み合わせから成る復原装置、またはその他の偏位可能排便通路を低位から高位に回復させることができる装置から選ばれる。
【０００９】
前記偏位可能排便通路のベアリング軸またはベアリング軸孔は下チャンバー内に位置する上チャンバー排便口の外側または下チャンバー排便口の外側に取り付けられている。
【００１０】
より具体的には、本発明の目的は、さらに、以下の二つの技術により実現される。
【００１１】
a、前記偏位可能排便通路は管状で、さらに言えば、偏位可能管状排便通路である。この排便通路は、腕状の上チャンバー排便口の外側の凹部に、可能管状の排便通路を装着し、ボルトで緊締したバー・クラスプ式ブラケットのベアリング軸孔に、軸を中心に偏位できる偏位可能フレームが支持されており、偏位可能フレームの一端には復原装置があり、他端は斜め上方へ延び、それとともに延びる可撓パイプ排便通路または可撓パイプ排便通路と接続する管状の排便通路と接続し、下チャンバー排便口に通じる水平、垂直或は傾斜状の偏位可能排便通路の流出口を構成し、偏位可能フレームとともに偏位、復原する。偏位可能フレームの一端のフレーム口中部には一つの細い板及び下方に向かって湾曲した突起乃至下方に向かって湾曲した細い板及び突起が偏位と復原を制限する規制板と規制突起を構成するという構造を有する。
【００１２】
ｂ、前記偏位可能排便通路は溝形で、さらに言えば、可変水封装置は溝形の可変水封装置である。この排便通路は上チャンバー排便口の外側で緊定したバー・クラスプ式ブラケットのベアリング軸孔に軸が支持され、且つ軸線を中心に偏位可能な溝形の排便通路を含み、上チャンバー排便口が溝形の排便通路の低端に進入し、溝形の排便通路が斜め右上方へ延びて水平の偏位可能排便口に達し、溝形の排便通路の左の外側には復原用バランスウエイトが設けられる。ブラケットの上部の水平板は規制板であり、湾曲状突起は規制用突起である。ブラケットの下部はねじで締める。
【００１３】
本発明は従来の便器の上チャンバー排便口と下チャンバーとの間の固定的な排便通路の高水封位置と、高い水抵抗の故に水を大いに無駄にするという欠点を解消し、排便通路を、洗い流すときに自動的に低水封に偏位し、洗い流さないときに自動的に高水封に復原する可変的な偏位可能排便通路とし、その故に本発明の排便通路は臭気を封じるとともに洗い流す効果を大幅に向上し、洗浄水を節約し、構造が簡単で信頼性が高く、費用性能比が高くなるという利点を有する。
【発明を実施するための最良の形態】
【００１４】
実施例１
図１、図２、及び図３において、本発明の偏位可能管状排便通路はU形管の可変水封式の上方配置バランスウエイトで復原する水洗便器である。下チャンバー２内の上チャンバー排便口３の外側に可撓パイプ１８とバー・クラスプ１０が装着され、ボルト２４で固定される。バー・クラスプ１０には偏位規制板１５、復原位規制板１６と対称ベアリング軸１７が装着され、ベアリング軸１７を中心に偏位と復原ができる。外側にベアリング軸孔付きブラケット１２が装着され、U形管排便通路１３を支持する。ブラケット１２の一端にはバランスウエイト１４が取り付けられる。U形管排便通路１３の一端は可撓性パイプ１８に嵌め込まれ、バー・クラスプ１１で緊締される。排便通路の他端の排便口１９は下チャンバー排便口４と連通する。下チャンバー２の両側に窓９が設けてあり、ボルト２３で外ふた板２１とシールパッド２２を座ぐり穴がある内ふた板２０に固定しており、便器は取り付け穴８によって床に固定している。洗い流さない時に、バランスウエイト１４、ブラケット１２、ボルト２６、ボルト２５、バー・クラスプ１１、可撓性パイプ１８、U形管排便通路１３及び該通路内の溜り水の共同作用によって形成された復原モーメントがU形管排便通路１３を復原状態での高水封位置に保持し、復原位規制板１６に規制されている。洗い流す時、溜水槽の水が洗浄管導入口５からリング状分水管６に入って複数の分水孔７から上チャンバー１の内壁へ噴出し、上チャンバー排便口３から可撓性パイプ１８、U形管排便通路１３に入り、排便通路の排便口１９と下チャンバー排便口４を通して排出される。洗い流し始める時、一定流量の水と排泄物が可撓性パイプ１８とU形管排便通路１３を通して復原モーメントより大きい偏位モーメントが生じ、U形管排便通路１３を偏位規制板１５に規制されるまで、自動的にベアリング軸１７を中心に偏位させ、洗い流すときの低水封状態を形成する。洗い流した後、偏位モーメントが再び復原モーメントより小さくなると、復原規制板１６に規制されるまで、U形管排便通路１３がベアリング軸１７を中心に復原される。
【００１５】
実施例２
図４、図５において、本発明の偏位可能管状排便通路は┐形管の可変水封式の上バランスウエイトで復原する便器である。下チャンバー２内の上チャンバー排便口３の外側に可撓性パイプ１８とバー・クラスプ１０が装着され、ボルト２４で固定される。バー・クラスプ１０には偏位規制板１５、復原規制板１６と対称ベアリング軸１７が装着され、ベアリング軸１７を中心に偏位と復原ができる。且つ外側にベアリング軸孔付きブラケット１２が装着され、┐形管排便通路２７を支持する。ブラケット１２の一端にはバランスウエイト１４が取り付けられる。┐形管排便通路２７の一端は可撓性パイプ１８に嵌め込まれ、バー・クラスプ１１で緊締される。排便通路の他端の排便口１９は下チャンバー排便口４と連通する。下チャンバー２の両側に窓９が設けてあり、ボルト２３で外ふた板２１とシールパッド２２を座ぐり穴がある内ふた板２０に固定されており、便器は取り付け穴８によって床に固定されている。洗い流さない時に、バランスウエイト１４、ブラケット１２、ボルト２６、ボルト２５、バー・クラスプ１１、可撓性パイプ１８、┐形管排便通路２７及び該通路内の溜り水の共同作用によって形成された復原モーメントが┐形管排便通路２７を復原状態での高水封位置に保持し、復原規制板１６に規制されている。洗い流す時、溜水槽の水が洗浄管導入口５からリング状分水管６に入って複数の分水孔７から上チャンバー１の内壁へ噴出し、上チャンバー排便口３から可撓性パイプ１８、┐形管排便通路２７に入り、排便通路の排便口１９と下チャンバー排便口４を通して排出する。洗い流し始める時、一定流量の水と排泄物が可撓性パイプ１８と┐形管排便通路２７を通して復原モーメントより大きい偏位モーメントが生じ、┐形管排便通路２７を偏位規制板１５に規制されるまでに、自動的にベアリング軸１７を中心に偏位させ、洗い流すときの低水封状態を形成する。洗い流した後、偏位モーメントが再び復原モーメントより小さくなると、復原規制板１６に規制されるまで、┐形管排便通路２７がベアリング軸１７を中心に復原される。
【００１６】
実施例３
図６において、本発明の偏位可能管状排便通路はU形管の可変水封式の下バランスウエイトで復原する便器である。下チャンバー２内の下チャンバー排便口４の外側に、対称ベアリング軸１７、偏位規制板１５、及び復原規制板１６を有するバー・クラスプ１０が装着され、ボルト２９で緊締される。対称ベアリング軸１７の外側には該ベアリング軸１７を中心に偏位と復原ができるように設けられたベアリング軸孔付きブラケット１２が装着され、下チャンバー排便口４と連通するU形管排便通路１３を支持する。ブラケット１２の一端にはバランスウエイト１４が取り付けられており、U形管排便通路１３の一端は可撓性パイプ１８に嵌め込まれ、バー・クラスプ１１とボルト２５で緊締される。可撓性パイプ１８の他端を上チャンバー排便口３の外側に装着してバー・クラスプ２８とボルト２４で締められる。洗い流さない時に、バランスウエイト１４とブラケット１２、ボルト２６、ボルト２５、バー・クラスプ１１、可撓性パイプ１８、U形管排便通路１３及び該通路内の溜り水によって形成された復原モーメントがU形管排便通路１３を復原状態での高水封位置に保持し、復原規制板１６に規制されている。洗い流す時、溜水槽の水が洗浄管導入口５からリング状分水管６に入って複数の分水孔７で上チャンバー１の内壁へ噴出し、上チャンバー排便口３から可撓性パイプ１８、U形管排便通路１３に入り、排便通路の排便口１９と下チャンバー排便口４を通して排出する。洗い流し始める時、一定流量の水と排泄物が可撓性パイプ１８とU形管排便通路１３を通して復原モーメントより大きい偏位モーメントが生じ、U形管排便通路１３を偏位規制板１５に規制されるまで、自動的にベアリング軸１７を中心に偏位させ、洗い流すときの低水封状態を形成する。洗い流した後、偏位モーメントが再び復原モーメントより小さくなると、復原規制板１６に規制されるまで、U形管排便通路１３がベアリング軸１７を中心に偏位する。
【００１７】
実施例４
図７〜図１５において、本発明の偏位可能管状排便通路はU形管又は┐形管の可変水封式のばねで偏位する便器である。上チャンバー排便口３または下チャンバー排便口４の外側に、対称ベアリング軸１７、偏位規制板１５、偏位規制板１６、及びばね装着曲げ板３０、３１を有するバー・クラスプ１０を装着する。上チャンバー排便口３の下縁端部に可撓パイプ１８とバー・クラスプ１０とが装着され、ボルト２４又は２９で緊締される。対称ベアリング軸１７は、該ベアリング軸１７を中心に偏位と復原ができ、外側にベアリング軸孔付きブラケット１２があるU形管排便通路１３又は┐形管排便通路２７を支持する。ブラケット１２の一端にはばね装着曲げ板３２、３３が取り付けられており、曲げ板３０と３２との間に圧縮ばね３５が取り付けられ、曲げ板３１と３３との間に引っ張りばね３４が取り付けられている。U形管排便通路１３又は┐形管排便通路２７の一端を可撓性パイプ１８に嵌め込み、バー・クラスプ１１とボルト２５で緊締する。排便通路の他端の排便口１９は下チャンバー排便口４と連通しており、可撓性パイプ１８の他端を上チャンバー排便口３の外側に装着してバー・クラスプとボルトで締める。洗い流さない時に、引っ張りばね３４或は圧縮ばね３５或は引っ張りばね３４と圧縮ばね３５との組み合わせ、ブラケット１２、ボルト２５、ボルト２６、バー・クラスプ１１、可撓性パイプ１８とU形管排便通路１３又は┐形管排便通路２７及びその内の溜り水によって形成された復原モーメントがU形管排便通路１３又は┐形管排便通路２７を復原状態での高水封位置に保持し、復原規制板１６によって規制される。洗い流す時、溜水槽の水が洗浄管導入口５からリング状分水管６に入って複数の分水孔７で上チャンバー１の内壁へ噴出し、上チャンバー排便口３から可撓性パイプ１８、U形管排便通路１３又は┐形管排便通路２７に入り、排便通路の排便口１９と下チャンバー排便口４を通して排出する。洗い流し始める時、一定流量の水と排泄物が可撓性パイプ１８とU形管排便通路１３又は┐形管排便通路２７を通して復原モーメントより大きい偏位モーメントを生じ、U形管排便通路１３又は┐形管排便通路２７を偏位規制板１５に規制されるまで、自動的にベアリング軸１７を中心に偏位させ、洗い流すときの低水封状態を形成する。洗い流した後、偏位モーメントが再び復原モーメントより小さくなると、復原規制板１６に規制されるまで、U形管排便通路１３又は┐形管排便通路２７がベアリング軸１７を中心に復原する。
【００１８】
実施例５
図１６、図１７、及び図１８において、本発明の排便通路は管状である。即ち、可変水封が管状可変水封式である便器である。上チャンバー１の下部に湾曲して設けられる上チャンバー排便口３の外側の溝に、可撓管状の排便通路４０を装着し、ボルト４６で締めたバー・クラスプ１０に設けられた孔と一体同軸に設けられるブラケット３６のベアリング軸孔に、スクリュー軸４３を挿入して支持する。且つスクリュー軸４３を中心に偏位できる偏位のフレーム３７が同軸に支持される。偏位フレーム３７の左下方に復原用バランスウエイト４４がある。偏位フレーム３７の右側の斜め右上方へ伸びる長い湾曲板３８の端部にはリング３９が嵌装され、湾曲板３８とともに伸びる可撓管状の排便通路４０の管口と積層に重ね合わされ、水平の偏位可能排便口４７を構成する。湾曲板３８、排便通路４０、リング３９は偏位置フレーム３７とともに偏位し、復原する。偏位フレーム３７の左側の口中部には一つの細い板が装着され下方に向かって突起を構成し、下方へ曲がっている細い板と突起が偏位と復原を制限する規制板４１と規制突起４２を構成する。下チャンバー２下部の両側に取り付け窓９が設けられ、ボルト２３で外ふた板２１と、シールパッド２２が取り付けられ、座ぐり穴を有する内ふた板２０を締めてシールする。便器は取り付け穴８によって床に固定されている。洗い流さない時に、バランスウエイト４４と偏位フレーム３７、湾曲板３８、リング３９、管状排便通路４０及びその内の溜り水によって復原モーメントを形成し、管状排便通路４０を復原状態での高水封位置に保持し、規制突起４２に規制される。洗い流す時、溜水槽の水が洗浄管導入口５からリング状分水管６に入って複数の分水孔７から上チャンバー１の内壁へ噴出し、上チャンバー排便口３から管状排便通路４０の低端に入り、右上方の水平の偏位可能排便口４７から流出して、下チャンバー２の底部の下チャンバー排便口４を通して排出される。洗い流し始める時、一定流量の水と排泄物が管状排便通路４０とその水平の偏位可能排便口４７を通して復原モーメントより大きい偏位モーメントが生じ、管状排便通路４０が規制板４１に規制されるまで、自動的にスクリュー軸を中心に偏位させ、水平の偏位可能排便口４７がそれに従って降下し、図１６の破線で示すように、洗い流す時の低水封状態を形成する。洗い流した後、偏位モーメントが再び復原モーメントより小さくなると、管状排便通路４０が自動的に復原するとともに、水平の偏位排便口５１が再び高水封位置に戻る。
【００１９】
実施例６
図１９、図２０及び図２１において、本発明の排便通路は溝形である。即ち、溝形可変水封式便器である。上チャンバー１の下部の上チャンバー排便口３の外側の溝に、ボルト４６で締めたバー・クラスプ１０と一体化して設けられる。ブラケット３６のベアリング軸孔に、軸４３が挿入される。この軸の軸線を中心に偏位可能な溝形の排便通路４０が支持される。上チャンバー排便口３が溝形の排便通路４０の低端に進入し、溝形の排便通路４０が斜め右上方へ、水平の偏位可能排便口４７まで延びる。溝形の排便通路４０の左の外側にはバランスウエイト４４が設けられる。ブラケット３６上部の水平板は規制板４１であり、曲げ突起は規制突起４２であり、ブラケット３６下部はねじ４５で締める。洗い流さない時に、バランスウエイト４４と管状排便通路４０及びその内の溜り水によって復原モーメントを形成し、管状排便通路４０を復原状態での高水封位置に保持し、規制突起４２に規制されている。洗い流す時、溜水槽の水が洗浄管導入口５からリング状分水管６に入って複数の分水孔７から上チャンバー１の内壁へ噴出し、上チャンバー排便口３から管状排便通路４０の低端に入り、右上方の水平偏位可能排便口５１から流出して、下チャンバー２の底部の下チャンバー排便口４を通して排出される。洗い流し始める時、一定流量の水と排泄物が管状排便通路４０とその水平偏位可能排便口４７を通して復原モーメントより大きい偏位モーメントが生じ、軸４３付き管状排便通路４０を規制板４１に規制されるまで、自動的にその軸線を中心に偏位させ、水平偏位可能排便口４７がそれに従って降下し、図１９に破線で示すように、洗い流すときの低水封状態を形成する。洗い流した後、偏位モーメントが再び復原モーメントより小さくなると、管状排便通路４０が自動的に復原するとともに、水平の偏位排便口４７が再び高水封位置に戻る。その他の部分は実施例５と類似しており、説明を省略する。
【図面の簡単な説明】
【００２０】
本発明の目的、利点と特徴は以下に述べる有利な実施例を図示に従って説明することによって示される。しかし本発明はこれらの実施例に限るものではなく、これらの実施例は単なる例示にすぎない。
【図１】図１は、上方配置バランスウエイトで復原するU形管の可変水封式便器の構造を示す図である。
【図２】図２は、上方配置バランスウエイトで復原するU形管の可変水封式便器の一部を示す側面図である。
【図３】図３は、上方配置バランスウエイトで復原するU形管の可変水封式便器の一部を示す平面図である。
【図４】図４は、上方配置バランスウエイトで復原する┐形管の可変水封式便器の構造を示す図である。
【図５】図５は、上方配置バランスウエイトで復原する┐形管の可変水封式便器の一部を示す側面図である。
【図６】図６は、下方配置バランスウエイトで復原するU形管の可変水封式便器の構造を示す図である。
【図７】図７は、上方配置引っ張りばねで復原するU形管の可変水封式便器の構造を示す図である。
【図８】図８は、上方配置圧縮ばねで復原するU形管の可変水封式便器の構造を示す図である。
【図９】図９は、上方配置引っ張りばねと圧縮ばねとの組み合わせで復原するU形管の可変水封式便器の一部の構造を示す図である。
【図１０】図１０は、上方配置引っ張りばねで復原する┐形管の可変水封式便器の一部の構造を示す図である。
【図１１】図１１は、上方配置圧縮ばねで復原する┐形管の可変水封式便器の一部の構造を示す図である。
【図１２】図１２は、上方配置引っ張りばねと圧縮ばねとの組み合わせで復原する┐形管の可変水封式便器の一部の構造を示す図である。
【図１３】図１３は、下方配置引っ張りばねで復原するU形管の可変水封式便器の一部の構造を示す図である。
【図１４】図１４は、下方配置圧縮ばねで復原するU形管の可変水封式便器の一部の構造を示す図である。
【図１５】図１５は、上方配置引っ張りばねと下圧縮ばねとの組み合わせで復原するU形管の可変水封式便器の一部の構造を示す図である。
【図１６】図１６は、管状の可変水封式便器の構造を示す図である。
【図１７】図１７は、管状の可変水封式便器の一部を示す側面図である。
【図１８】図１８は、管状の可変水封式便器の一部を示す平面図である。
【図１９】図１９は、溝形の可変水封式便器の構造を示す図である。
【図２０】図２０は、溝形の可変水封式便器の一部を示す側面図である。
【図２１】図２１は、溝形の可変水封式便器の一部を示す平面図である。
【符号の説明】
【００２１】
１…上チャンバー
２…下チャンバー
３…上チャンバー排便口
４…下チャンバー排便口
５…洗浄管導入口
６…リング状分水管
７…分水孔
８…取り付け穴
９…取り付け窓
１０…バー・クラスプ
１１…バー・クラスプ
１２…ブラケット
１３…U形管排便通路
１４…バランスウエイト
１５…偏位規制板
１６…復原位規制板
１７…ベアリング軸
１８…可撓性パイプ
１９…排便通路の排便口
２０…内ふた板
２１…外ふた板
２２…シールパッド
２３…ボルト
２４…ボルト
２５…ボルト
２６…ボルト
２７…┐形管排便通路
２８…バー・クラスプ
２９…ボルト
３０…曲げ板
３１…曲げ板
３２…曲げ板
３３…曲げ板
３４…引っ張りばね
３５…圧縮ばね
３６…ブラケット
３７…偏位フレーム
３８…湾曲板
３９…リング
４０…排便通路
４１…規制板
４２…規制突起
４３…軸
４４…バランスウエイト
４５…ねじ
４６…ボルト
４７…偏位可能排便口
【図１】
2006519326.tif 000003
【図２】
2006519326.tif 000004
【図３】
2006519326.tif 000005
【図４】
2006519326.tif 000006
【図５】
2006519326.tif 000007
【図６】
2006519326.tif 000008
【図７】
2006519326.tif 000009
【図８】
2006519326.tif 000010
【図９】
2006519326.tif 000011
【図１０】
2006519326.tif 000012
【図１１】
2006519326.tif 000013
【図１２】
2006519326.tif 000014
【図１３】
2006519326.tif 000015
【図１４】
2006519326.tif 000016
【図１５】
2006519326.tif 000017
【図１６】
2006519326.tif 000018
【図１７】
2006519326.tif 000019
【図１８】
2006519326.tif 000020
【図１９】
2006519326.tif 000021
【図２０】
2006519326.tif 000022
【図２１】
2006519326.tif 000023
【国際調査報告】
2006519326.tif 000024
2006519326.tif 000025
2006519326.tif 000026
2006519326.tif 000027